【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
共振回路と、
前記共振回路を駆動する駆動回路と、
前記駆動回路を、装置の通常駆動であるモードＡと、前記駆動回路に流れる電流の大きさが制限されている装置異常検出用のモードＢにて駆動させる制御部と、
前記モードＢにおいて装置に異常がないか検出する検出部と、を備える誘導加熱方式画像定着装置。
【請求項２】
前記モードＢによる駆動時に前記検出部によって異常が検出されなかった場合に、前記モードＡによる通常駆動への移行を行う請求項１に記載の誘導加熱方式画像定着装置。
【請求項３】
前記駆動回路が、前記モードＡ駆動を行う通常駆動回路と、検査駆動周波数での前記共振回路の駆動によって前記モードＢ駆動を行う検査駆動回路とを備える、請求項１又は請求項２に記載の誘導加熱方式画像定着装置。
【請求項４】
前記共振回路に前記通常駆動回路と前記検査駆動回路の何れかを選択的に接続させる切替部と、前記検出部たる電力測定部と、を備え、
前記制御部によって前記切替部を制御することにより、前記モードＢ駆動時において前記検査駆動回路を前記共振回路に接続させ、前記電力測定部から得られる測定値に基づく値が所定範囲内である場合に、前記検査駆動回路に替えて前記通常駆動回路を前記共振回路に接続して前記モードＡ駆動させる、請求項３に記載の誘導加熱方式画像定着装置。
【請求項５】
前記検査駆動周波数が、所定周波数より高周波数の領域における周波数である、請求項３に記載の誘導加熱方式画像定着装置。
【請求項６】
前記検査駆動回路による駆動時に、少なくも２つの異なる検査駆動周波数による駆動を行い、これら検査駆動周波数と、それぞれの検査駆動周波数における前記検出部たる電力測定部からの測定値と、に基づいて電力−駆動周波数の関数における傾きを算出し、当該傾きに基づいて電力値と駆動周波数の間における関連特性を推定する、請求項５に記載の誘導加熱方式画像定着装置。
【請求項７】
前記モードＢ駆動が、装置の立ち上げ時において実行される、請求項１又は請求項２に記載の誘導加熱方式画像定着装置。
【請求項８】
電力測定部と、設定駆動周波数とこれに対応する設定電力値とが格納されたテーブルと、を備え、
前記モードＡ駆動において、
前記制御部から前記駆動回路へ与えた駆動周波数と、前記電力測定部によって検出した電力値と、の対応関係が、前記テーブルの設定駆動周波数と、設定電力値と、の対応関係から所定以上相違している場合に、前記モードＡ駆動を停止させる請求項１又は請求項２に記載の誘導加熱方式画像定着装置。
【請求項９】
前記モードＢへの切り替えにより、前記モードＡ駆動を停止させる請求項８に記載の誘導加熱方式画像定着装置。
【請求項１０】
前記共振回路に流れる駆動電流の位相を検出する電流位相検出部を備え、
前記モードＡ駆動時において前記電流位相検出部によって検出される駆動電流の位相に基づいて、前記モードＡ駆動を停止させる請求項１又は請求項２に記載の誘導加熱方式画像定着装置。
【請求項１１】
前記モードＢへの切り替えにより、前記モードＡ駆動を停止させる請求項１０に記載の誘導加熱方式画像定着装置。
【請求項１２】
駆動電流の位相に基づく設定位相値と設定駆動周波数が対応付けられたテーブルを備え、
前記モードＡ駆動において、
前記制御部から前記駆動回路へ与えた駆動周波数と、前記検出した駆動電流の位相に基づく値と、の対応関係が、前記テーブルの設定位相値と、設定駆動周波数と、の対応関係から所定以上相違している場合に、前記モードＡ駆動を停止させる請求項１０に記載の誘導加熱方式画像定着装置。
【請求項１３】
前記対応関係に相違があった場合に、当該相違に基づいて、前記テーブルの対応関係を補正するためのパラメータを算出する補正係数算出部を備える、請求項８に記載の誘導加熱方式画像定着装置。
【請求項１４】
前記駆動電流の位相の測定において、前記駆動電流を前記制御部のクロックに基づく周期で測定する、請求項１０に記載の誘導加熱方式画像定着装置。
【請求項１５】
前記検査駆動回路は、前記通常駆動回路よりも低レベルの電源ラインから電源供給を受ける、請求項３に記載の誘導加熱方式画像定着装置。
【請求項１６】
前記通常駆動回路がスイッチング素子とゲートドライバを備え、前記検査駆動回路が発振回路を備える、請求項３に記載の誘導加熱方式画像定着装置。
【請求項１７】
共振回路と、前記共振回路を駆動周波数にて駆動する通常駆動回路と、前記共振回路を検査駆動周波数にて駆動する検査駆動回路と、電力測定部と、制御部と、記憶部と、を備える誘導加熱方式画像定着装置における前記制御部に、
装置の立ち上げ時において前記検査駆動回路を前記共振回路に接続させるステップと、
当該検査駆動回路による駆動時における前記電力測定部からの測定値を取得し、これが所定範囲外であるか否かを判別するステップと、
当該取得した測定値が所定範囲内である場合に、前記検査駆動回路に替えて前記通常駆動回路を前記共振回路に接続させるステップと、
を実行させる誘導加熱方式画像定着装置駆動プログラム。
【請求項１８】
前記検査駆動回路による駆動時に、共振周波数より高い第１の駆動周波数による駆動を行い、前記電力測定部からの第１の測定値を取得するステップと、
共振周波数より高い第２の駆動周波数による駆動を行い、前記電力測定部からの第２の測定値を取得するステップと、
第１及び第２の駆動周波数、並びに第１及び第２の測定値に基づいて電力−駆動周波数の関数における傾きを算出するステップと、
当該算出された傾きに基づいて前記測定値が所定範囲内であるか否かを判別するステップと、
を実行させる請求項１７に記載の誘導加熱方式画像定着装置駆動プログラム。
【請求項１９】
前記記憶部に、設定駆動周波数とこれに対応する設定電力値とが格納されたテーブルと、異常判断条件と、が記憶されており、
前記通常駆動回路を前記共振回路に接続させた駆動状態において、
前記制御部から前記通常駆動回路へ与えた駆動周波数と、前記電力測定部によって検出した電力値と、を取得するステップと、
当該取得した駆動周波数と電力値との対応関係と、前記テーブルの設定駆動周波数と設定電力値との対応関係との間の相違が、前記異常判断条件に該当するか否かを判別するステップと、
前記異常判断条件に該当している場合に、前記通常駆動回路の駆動を停止させるステップと、を実行させる請求項１７に記載の誘導加熱方式画像定着装置駆動プログラム。
【請求項２０】
前記誘導加熱方式画像定着装置が、前記共振回路に流れる駆動電流の位相を検出する電流位相検出部を備え、前記記憶部に、駆動電流の位相に基づく設定位相値と設定駆動周波数が対応付けられたテーブルと、異常判断条件と、が記憶されており、
前記通常駆動回路を前記共振回路に接続させた駆動状態において、
前記制御部から前記通常駆動回路へ与えた駆動周波数と、前記電流位相検出部によって検出した駆動電流の位相と、を取得するステップと、
当該取得した駆動周波数と駆動電流の位相との対応関係と、前記テーブルの設定駆動周波数と設定位相値との対応関係の相違が、前記異常判断条件に該当するか否かを判別するステップと、
前記異常判断条件に該当している場合に、前記通常駆動回路の駆動を停止させるステップと、を実行させる請求項１７に記載の誘導加熱方式画像定着装置駆動プログラム。
【請求項２１】
前記通常駆動回路と前記共振回路との接続を、前記検査駆動回路と前記共振回路との接続に切り替えることにより、前記通常駆動回路の駆動を停止させるステップを実行させる請求項１９又は請求項２０に記載の誘導加熱方式画像定着装置駆動プログラム。
【請求項２２】
前記対応関係の相違に基づいて、前記テーブルの対応関係を補正するためのパラメータを算出するステップを実行させる請求項１９又は請求項２０に記載の誘導加熱方式画像定着装置駆動プログラム。